(57)【要約】      （修正有）【課題】整然とした美しい外観を保持でき、携帯に便利であるパワーサプライの電線収納ユニットを提供する。【解決手段】カバー体１の外周縁両側から、対称的にそれぞれ上方へと延伸して設置され、２個のフレキシブル遮蔽壁の頂点縁は相互に接続し、これによりコード収納部２頂点縁において、開閉自在な間隙を構成し、こうして空間を取り囲み、閉鎖状の環状管形コード収納空間２４を形成し、コード収納部２頂点縁の間隙上には、貫通孔２３ａを設置し、該貫通孔２３ａの設置部位は、カバー体１の電線導出孔１３とちょうど相対し、カバー体１には、パワーサプライの外殻を嵌めて設置し、これによりパワーサプライの電源コードは、電線導出孔１３を通過し、電源コンセント、或いは電気製品に接続して電力を供給することができ、コード収納部２頂点縁の間隙を利用し、電源コードは環状管形のコード収納空間２４内に巻き取られて収納される。【選択図】図２
0003170808.tif 000002
【実用新案登録請求の範囲】
【請求項１】
カバー体、コード収納部を備え、
前記カバー体は、嵌合カバー空間を備え、ここにパワーサプライの外殻をちょうど収納することができ、前記カバー体両側壁上には、電線導出孔を設置し、
前記コード収納部は、２個のフレキシブル遮蔽壁を備え、前記カバー体の外周縁両側から、対称的にそれぞれ上方へと延伸して設置され、
前記２個のフレキシブル遮蔽壁の頂点縁は、相互に接続し、これにより前記コード収納部頂点縁において、開閉自在な間隙を構成し、こうして空間を取り囲み、閉鎖状の環状管形コード収納空間を形成し、
前記カバー体には、パワーサプライの外殻を嵌めて設置し、これによりパワーサプライの電源コードは、電線導出孔を通過し、電源コンセントに接続することができ、或いは電気製品に接続して電力を供給することができ、
また、前記コード収納部頂点縁の間隙を利用し、電源コードは、環状管形のコード収納空間内に巻き取られて収納され、及び電源コードは、電線収納ユニット内から引き出されて使用されることを特徴とするパワーサプライの電線収納ユニット。
【請求項２】
前記カバー体は、弾性変形可能な能力を備えることを特徴とする請求項１に記載のパワーサプライの電線収納ユニット。
【請求項３】
前記カバー体と前記コード収納部は、ゴム或いはシリコンゴム材料により一体成型されることを特徴とする請求項１或いは２に記載のパワーサプライの電線収納ユニット。
【請求項４】
前記パワーサプライは、変圧器、整流器、安定器、或いはバッテリーの内の何れかであることを特徴とする請求項１に記載のパワーサプライの電線収納ユニット。
【請求項５】
前記コード収納部のフレキシブル遮蔽壁の頂点縁末端には、壁の厚みを強化する先端縁を備えることを特徴とする請求項１に記載のパワーサプライの電線収納ユニット。
【請求項６】
前記コード収納部頂点縁の間隙上には、貫通孔を設置し、  
前記貫通孔の設置部位は、前記カバー体の電線導出孔とちょうど相対することを特徴とする請求項１に記載のパワーサプライの電線収納ユニット。
【考案の詳細な説明】
【技術分野】
【０００１】
本考案はパワーサプライの電線収納ユニットに関し、特にパワーサプライの電源コードを収納でき、しかも携帯に便利なパワーサプライの電線収納ユニットに関する。
【背景技術】
【０００２】
電気製品の正常な作動を確保するため、現在、多くは変圧器、整流器、安定器、或いはバッテリーなどをパワーサプライとして使用している。
一方、ポータブルコンピューター、携帯電話端末、ビデオカメラなどの電気製品は携帯し、外で使用することが多いため、随時使用できるように、それらと関連する給電器材も携帯する必要がある。
【０００３】
現在一般に見られる携帯式パワーサプライの多くは、大きさがおよそ手のひら程度の柱形ケースを備え、しかも両端が延伸し、適当な長さを備える電源コードを設置する。
この種のパワーサプライは、携帯の便のため、通常は電源コードを折り曲げて束状にし、或いはケース外に巻きつけてまとめている。
しかし、電源コードをまとめた後は、なお縛って固定しなければならないため、客観的にいって、操作上不便で、しかもまとめた後の形状は美しくない。
【０００４】
さらに、このような電源コードのまとめ方では、電源コードを折り曲げた位置に鋭角が発生しがちである。
この結果、内部の金属導線が折れて破損し、ショートが発生しやすい。
さらに、ある程度の期間、電源コードを繰り返しまとめることで、曲がってしまったコード本体は、電気エネルギーの伝送効果を減損してしまう。
しかも、パワーサプライの使用時には、導線の多くは曲がった状態で散乱し、絡まるなどの面倒な現象が発生し易い。
また、電源コードが長すぎれば、しばしば地面まで垂れ下がり、電源コードの表皮が摩損し、絶縁性が破損され、電力使用の安全において危険であり、しかも電源コード表面が汚れ、収納時に困難を来たす。
本考案は、従来のパワーサプライの電源コードの上記した欠点に鑑みてなされたものである。
【考案の概要】
【考案が解決しようとする課題】
【０００５】
本考案が解決しようとする課題は、カバー体にパワーサプライ外殻を嵌めて設置し、保護し、コード収納部を利用して電源コードを整然と収納して保護でき、こうしてパワーサプライを電線収納ユニット内に設置し、電源コードはコード収納部から簡単かつ迅速に引き出されて使用され、或いはコード収納部に収納され、整然とした美しい外観を保持でき、携帯に便利であるパワーサプライの電線収納ユニットを提供することである。
【課題を解決するための手段】
【０００６】
上記課題を解決するため、本考案は下記のパワーサプライの電線収納ユニットを提供する。パワーサプライの電線収納ユニットは、カバー体、コード収納部を備え、該カバー体は、嵌合カバー空間を備え、ここにパワーサプライの外殻をちょうど収納することができ、該カバー体両側壁上には、電線導出孔を設置し、該カバー体は、弾性変形可能な能力を備えるため、パワーサプライの外殻の設置、操作に便利で、組み合わせ後の安定的な定位を確保でき、該コード収納部は、２個のフレキシブル遮蔽壁を備え、該カバー体の外周縁両側から、対称的にそれぞれ上方へと延伸して設置され、該２個のフレキシブル遮蔽壁の頂点縁は、相互に接続し、これにより該コード収納部頂点縁において、開閉自在な間隙を構成し、こうして空間を取り囲み、閉鎖状の環状管形コード収納空間を形成し、該コード収納部頂点縁の間隙上には、貫通孔を設置し、該貫通孔の設置部位は、該カバー体の電線導出孔とちょうど相対し、該パワーサプライは、変圧器、整流器、安定器、或いはバッテリーの内の何れかであるが、実施時には上記に限定するものではなく、該カバー体には、パワーサプライの外殻を嵌めて設置し、これによりパワーサプライの電源コードは、電線導出孔を通過し、しかも該コード収納部の貫通孔から延伸して出て行き、電源コンセントに接続することができ、或いは電気製品に接続して電力を供給することができ、また、該コード収納部頂点縁の間隙を利用し、電源コードは、環状管形のコード収納空間内に巻き取られて収納され、及び電源コードは、電線収納ユニット内から引き出されて使用され、こうして、電源コードをコード収納部内にきちんと巻き取って収納することができ、これにより折れ曲がり現象による金属導線の損傷を防止することができ、しかも、巻き取った電源コードはコード収納部内に完全に遮蔽されるため、整然とした美しい外観を保持でき、収納或いは携帯に便利で、さらに電線表皮が摩損或いは汚れるという欠点を改善することができ、さらに、該コード収納部のフレキシブル遮蔽壁の頂点縁末端には、壁の厚みを強化する先端縁を備え、これにより電源コードがコード収納部の間隙を繰り返し通過する操作によっても磨耗して破損することはなく、該カバー体と前記コード収納部は、ゴム或いはシリコンゴム材料により一体成型され、これにより全体構造は弾性、撓み性などの機械特性を備えることができる。
【考案の効果】
【０００７】
本考案パワーサプライの電線収納ユニットは、整然とした美しい外観を保持でき、電線表皮が摩損或いは汚れるという欠点を改善することができ、しかも収納或いは携帯に便利で、さらに使用の際には、実際の必要に応じて、適当な長さの電源コードを引き出すことができ、こうして長過ぎる電源コードが絡まり、或いは汚れ、破損するなどの欠点を完全に取り払うことができる。
【図面の簡単な説明】
【０００８】
【図１】本考案の外観立体図である。
【図２】本考案正面部分の断面図である。
【図３】本考案の側視図である。
【図４】図２のA-A位置における断面図である。
【図５】図２のB-B位置における断面図である。
【図６】本考案とパワーサプライを組み合わせた様子を示す正面部分の断面図である。
【図７】本考案とパワーサプライを組み合わせ、しかも電源コードを収納した状態を示す外観立体図である。
【図８】本考案とパワーサプライを組み合わせ、しかも電源コードを収納した状態を示す正面部分の断面図である。
【考案を実施するための形態】
【０００９】
以下に図面を参照しながら本考案を実施するための最良の形態について詳細に説明する。
【００１０】
図に示すように、本考案パワーサプライの電線収納ユニットは、カバー体１、コード収納部２により組成する。
しかも、両者はゴム材料により一体成型されるため、撓み性、弾性変形能力という機械特性を備える。
【００１１】
カバー体１は、嵌合カバー空間１２を備え、ここにパワーサプライの外殻をちょうど収納することができる。
カバー体１両側壁上には、やや十字形状を呈した電線導出孔１３をそれぞれ設置する。
【００１２】
コード収納部２は、２個のフレキシブル遮蔽壁２１を備える。
フレキシブル遮蔽壁２１は、カバー体１の外周縁両側から、対称的にそれぞれ上方へと延伸して設置する。
さらに、２個のフレキシブル遮蔽壁２１の頂点縁末端には、壁の厚みを強化する先端縁２２を備え、しかも相互に接続し、これによりコード収納部２頂点縁において、開閉自在な間隙２３を構成する。
こうして、２個のフレキシブル遮蔽壁２１の外周縁を利用し、閉鎖状の環状管形コード収納空間２４を区画する。
また、コード収納部２の間隙２３には、貫通孔２３aを設置する。
貫通孔２３aの設置部位は、カバー体１の電線導出孔１３とちょうど相対する。
【００１３】
上記した構造により、本考案の電線収納ユニットとパワーサプライとを組み合わせて使用する際には、パワーサプライの外殻３１を、カバー体１の嵌合カバー空間１２内に嵌めて設置する。
嵌合カバー空間１２は、弾性能力を備えるため、パワーサプライをしっかりと定位することができる。
これにより、パワーサプライの電源コード３２は、電線導出孔１３を通過し、しかもコード収納部２の貫通孔２３aから延伸して出て行く(図６参照)。
こうして、電源コンセントに接続することができ、或いは電気製品に接続して電力を供給することができる。
【００１４】
図７、８に示すように、パワーサプライの電源コード３２は、電線収納ユニット頂点部の間隙２３設計を利用し、簡単かつ迅速に、環状管形のコード収納空間２４内に巻き取られて収納され、或いは電源コード３２は、コード収納部２内から伸ばされ使用に供される。
【００１５】
電源コード３２を巻き取り収納する時には、環状管形のコード収納空間２４設計を利用し、電源コード３２は、すんなりとした弧状を保持し、しかもきちんと内部に巻き取られて収納される。
こうして、電源コード３２のねじ曲がり、変形を回避でき、さらに折れ曲がり現象による金属導線の損傷を防止することができる。
【００１６】
また、各フレキシブル遮蔽壁２１により、巻き取った電源コードを固定することができ、しかも完全に遮蔽しコード収納部２内に隠すことができる。
このため、整然とした美しい外観を保持でき、電線表皮が摩損或いは汚れるという欠点を改善することができ、しかも収納或いは携帯に便利である。
さらに、使用の際には、実際の必要に応じて、適当な長さの電源コードを引き出すことができ、こうして長過ぎる電源コードが絡まり、或いは汚れ、破損するなどの欠点を完全に取り払うことができる。
【００１７】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００１８】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００１９】
１      カバー体
１２    嵌合カバー空間
１３    電線導出孔
２      コード収納部
２１    フレキシブル遮蔽壁
２２    先端縁
２３    間隙
２３a   貫通孔
２４    コード収納空間
３１    パワーサプライ外殻
３２    電源コード
【図１】
0003170808.tif 000003
【図２】
0003170808.tif 000004
【図３】
0003170808.tif 000005
【図４】
0003170808.tif 000006
【図５】
0003170808.tif 000007
【図６】
0003170808.tif 000008
【図７】
0003170808.tif 000009
【図８】
0003170808.tif 000010